(57)【特許請求の範囲】
【請求項１】
被験者から採取された唾液中のウラシルの量を測定して、
被験者から採取された唾液中のウラシルの量が、
健常者から採取された唾液中の当該量と比べて高い場合に、または
メタボリックシンドローム患者から採取された唾液中の当該量と比べて同一または高い場合に、
被験者がメタボリックシンドロームにかかりやすいという基準と比較することにより、
被験者のメタボリックシンドロームへの罹患しやすさを試験する方法。
【請求項２】
被験者から採取された唾液中のウラシルの量と下記の（ｉ）および（ｉｉ）に記載の成分より任意に選択される１種以上の成分の量とを測定して、
被験者から採取された唾液中のウラシルの量が、健常者から採取された唾液中の当該量と比べて高い場合、またはメタボリックシンドローム患者から採取された唾液中の当該量と比べて同一または高い場合であって、かつ
被験者から採取された唾液中の（ｉ）からなる群から選択される１種以上の成分の量が、健常者から採取された唾液中の当該量と比べて高い場合に、または
被験者から採取された唾液中の（ｉｉ）からなる群から選択される１種以上の成分の量が、健常者から採取された唾液中の当該量と比べて低い場合に、
被験者がメタボリックシンドロームにかかりやすいという基準と比較することにより、被験者のメタボリックシンドロームへの罹患しやすさを試験する方法。
（ｉ）ホモバニリン酸およびエピネフリン
（ｉｉ）リボフラビン、ルピニン、グアニジノスクシン酸およびウリジン
【請求項３】
被験者から採取された唾液中のウラシルの量と下記の（ｉ）および（ｉｉ）に記載の成分より任意に選択される１種以上の成分の量とを測定して、
被験者から採取された唾液中のウラシルの量が、健常者から採取された唾液中の当該量と比べて高い場合、またはメタボリックシンドローム患者から採取された唾液中の当該量と比べて同一または高い場合であって、かつ
被験者から採取された唾液中の（ｉ）からなる群から選択される１種以上の成分の量が、メタボリックシンドローム患者から採取された唾液中の当該量と比べて同一または高い場合に、または
被験者から採取された唾液中の（ｉｉ）からなる群から選択される１種以上の成分の量が、メタボリックシンドローム患者から採取された唾液中の当該量と比べて同一または低い場合に、
被験者がメタボリックシンドロームにかかりやすいという基準と比較することにより、被験者のメタボリックシンドロームへの罹患しやすさを試験する方法。
【請求項４】
ウラシルと（ｉ）および（ｉｉ）からなる群から選択される１種以上の成分との組み合わせを変数とする多変量解析を行う請求項２または３に記載の方法。
【請求項５】
前記多変量解析が、ロジスティック回帰分析である請求項４に記載の方法。
【請求項６】
ウラシルと（ｉ）および（ｉｉ）からなる群から選択される１種以上の成分との組み合わせが、下記の（ａ）、（ｂ）または（ｃ）である請求項４または５に記載の方法。
（ａ）ウラシルおよびエピネフリン
（ｂ）グアニジノスクシン酸およびウラシル
（ｃ）グアニジノスクシン酸、ウラシルおよびエピネフリン
【発明の詳細な説明】
【技術分野】
【０００１】
本発明は、メタボリックシンドロームの判定方法に関する。
【背景技術】
【０００２】
現在、日本ではメタボリックシンドローム有病者が増加しており、メタボリックシンドローム予備軍をあわせると該当者数が２０００万人にのぼるとされている。メタボリックシンドロームは重篤の場合には動脈硬化を引き起こし、心筋梗塞や脳梗塞を招くため、早期発見と予防が重要である。早期発見を目的として２００８年４月から特定検診（メタボ検診）が義務化された。メタボリックシンドローム予防策としては食品の摂取が挙げられ、肥満やメタボリックシンドローム予防をうたう特定保健用食品を含む機能性食品が市場に出ている。
【０００３】
特許文献１には、生体から低侵襲に得られる唾液試料中のニコチンアミド代謝物量を測定し、その測定値に基づいて、ニコチンアミド代謝物量との関連が示唆されているメタボリックシンドロームの発症に関する情報も得ることができることが記載されている。
【先行技術文献】
【特許文献】
【０００４】
【特許文献１】特開２０１１−１０７１２４号公報
【発明の概要】
【発明が解決しようとする課題】
【０００５】
しかしながら特許文献１においては、ニコチンアミド代謝物量とメタボリックシンドロームの罹患の有無との関連は直接示されていない。
【０００６】
本発明の目的は、唾液中の成分を利用して、家庭でも簡便に、メタボリックシンドロームに罹患しているか否かを判定する方法を提供することにある。
【課題を解決するための手段】
【０００７】
本発明者らは下記の〔１〕〜〔７〕を提供する。
〔１〕下記の（ｉ）および（ｉｉ）からなる群から選択されるメタボリックシンドローム判定用マーカー。
（ｉ）エクトイン、ホモバニリン酸、ウラシルおよびエピネフリン
（ｉｉ）リボフラビン、ルピニン、グアニジノスクシン酸およびウリジン
〔２〕被験者から採取された唾液中の下記の（ｉ）および（ｉｉ）からなる群より選択される１種以上の成分の量を測定して、該量から被験者がメタボリックシンドロームに罹患しているか否かを判定する、メタボリックシンドロームリスクの判定方法。
（ｉ）エクトイン、ホモバニリン酸、ウラシルおよびエピネフリン
（ｉｉ）リボフラビン、ルピニン、グアニジノスクシン酸およびウリジン
〔３〕被験者から採取された唾液中の（ｉ）からなる群から選択される１種以上の成分の量が、健常者から採取された唾液中の当該量と比べて高い場合に、または
被験者から採取された唾液中の（ｉｉ）からなる群から選択される１種以上の成分の量が、健常者から採取された唾液中の当該量と比べて低い場合に、
被験者がメタボリックシンドロームに罹患していると判定する、上記〔２〕に記載の判定方法。
〔４〕被験者から採取された唾液中の（ｉ）からなる群から選択される１種以上の成分の量が、メタボリックシンドローム患者から採取された唾液中の当該量と比べて同一または高い場合に、または
被験者から採取された唾液中の（ｉｉ）からなる群から選択される１種以上の成分の量が、メタボリックシンドローム患者から採取された唾液中の当該量と比べて同一または低い場合に、
被験者がメタボリックシンドロームに罹患していると判定する、上記〔２〕に記載の判定方法。
〔５〕（ｉ）および（ｉｉ）からなる群から選択される２種以上の成分の組み合わせを変数とする多変量解析を行う上記〔２〕〜〔４〕のいずれか一項に記載の判定方法。
〔６〕前記多変量解析が、ロジスティック回帰分析である上記〔５〕に記載の判定方法。
〔７〕（ｉ）および（ｉｉ）からなる群から選択される２種以上の成分の組み合わせが、下記の（ａ）、（ｂ）、（ｃ）または（ｄ）である上記〔５〕または〔６〕に記載の判定方法。
（ａ）ウラシルおよびエピネフリン
（ｂ）グアニジノスクシン酸およびウラシル
（ｃ）グアニジノスクシン酸、ウラシルおよびエピネフリン
（ｄ）グアニジノスクシン酸、ウラシル、エピネフリン、エクトインおよびウリジン
【発明の効果】
【０００８】
本発明によれば、メタボリックシンドロームに罹患しているか否かを高い精度で判定できる。また、唾液を試料とするので、被験者への負担が軽減されており、また、家庭での簡便な判定も可能となり、メタボリックシンドロームの有用な予防策となることも期待される。
【図面の簡単な説明】
【０００９】
【図１−１】図１−１は健常者とメタボリックシンドローム患者の各唾液中のエクトインのピーク強度を示すグラフである。
【図１−２】図１−２は健常者とメタボリックシンドローム患者の各唾液中のホモバニリン酸のピーク強度を示すグラフである。
【図１−３】図１−３は健常者とメタボリックシンドローム患者の各唾液中のウラシルのピーク強度を示すグラフである。
【図１−４】図１−４は健常者とメタボリックシンドローム患者の各唾液中のエピネフリンのピーク強度を示すグラフである。
【図２−１】図２−１は健常者とメタボリックシンドローム患者の各唾液中のリボフラビンのピーク強度を示すグラフである。
【図２−２】図２−２は健常者とメタボリックシンドローム患者の各唾液中のルピニンのピーク強度を示すグラフである。
【図２−３】図２−３は健常者とメタボリックシンドローム患者の各唾液中のグアニジノスクシン酸のピーク強度を示すグラフである。
【図２−４】図２−４は健常者とメタボリックシンドローム患者の各唾液中のウリジンのピーク強度を示すグラフである。
【発明を実施するための形態】
【００１０】
本発明は、メタボリックシンドロームの判定に関する。本発明においてメタボリックシンドロームの判定とは、被験者がメタボリックシンドロームに罹患しているかどうかの判定（評価、判別、鑑別）を行うこと、または被験者がメタボリックシンドローム患者か健常者かの区別（分類）を行うことを意味する。判定の精度は、複数人の被験者のうち、通常は統計学的に有意な割合の被験者においてメタボリックシンドロームに罹患していることを正しく判定できる程度であり、例えば１５０％以上、６０％以上、７０％以上、８０％以上、８５％以上、９０％以上の被験者においてメタボリックシンドロームに罹患していることを正しく判定できる程度である。本発明の判定方法は、医師による診断前の予備的な判定方法として有用である。
【００１１】
本発明においてメタボリックシンドロームとは、内臓脂肪型肥満が原因で、高血糖、高血圧または高脂血が引き起こされる状態を言う。日本肥満学会が日本人を対象として規定した基準（２００５年）によれば、実施例に示す項目ａ）〜ｄ）のいずれか１つ以上に該当することを意味する。
【００１２】
本発明における被験者は、通常は動物であり、好ましくは、ヒト、実験動物（マウス、ラット、モルモット、ハムスター、ウサギなど）であり、より好ましくはヒトである。
【００１３】
本発明の判定方法においては、被験者から採取された生体試料として唾液を用いる。唾液は生体から常時採取可能であり、家庭での判断に用いる検体としても好適である。唾液は、非刺激唾液と刺激唾液とがあるが、刺激唾液が好ましい。刺激唾液は、パラフィンガムを咀嚼することにより容易に採取することができる。
【００１４】
本発明のメタボリックシンドロームの判定方法では、被験者から採取された唾液中の下記の（ｉ）および（ｉｉ）からなる群から選択される１種以上の成分を測定する。
【００１５】
（ｉ）エクトイン、ホモバニリン酸、ウラシルおよびエピネフリン
【００１６】
（ｉｉ）リボフラビン、ルピニン、グアニジノスクシン酸およびウリジン
【００１７】
（ｉ）および（ｉｉ）からなる群を構成する各化合物の構造を以下に示す。
【００１８】
（１）エクトイン（Ｅｃｔｏｉｎｅ、Ｌ−Ｅｃｔｏｉｎ、Ｃ6Ｈ10Ｎ2Ｏ2）
【化１】
0006051259.tif 000002
（２）ホモバニリン酸（Ｈｏｍｏｖａｎｉｌｌａｔｅ、Ｈｏｍｏｖａｎｉｌｌｉｃ  ａｃｉｄ、３−Ｍｅｔｈｏｘｙ−４−ｈｙｄｒｏｘｙｐｈｅｎｙｌａｃｅｔａｔｅ、Ｃ9Ｈ10Ｏ4）
【化２】
0006051259.tif 000003
（３）ウラシル（Ｕｒａｃｉｌ、Ｃ4Ｈ4Ｎ2Ｏ2）
【化３】
0006051259.tif 000004
（４）エピネフリン（Ｅｐｉｎｅｐｈｒｉｎｅ、Ｌ−Ａｄｒｅｎａｌｉｎｅ；（Ｒ）−（−）−Ａｄｒｅｎａｌｉｎｅ；（Ｒ）−（−）−Ｅｐｉｎｅｐｈｒｉｎｅ；（Ｒ）−（−）−Ｅｐｉｒｅｎａｍｉｎｅ；（Ｒ）−（−）−Ａｄｎｅｐｈｒｉｎｅ；４−［（１Ｒ）−１−Ｈｙｄｒｏｘｙ−２−（ｍｅｔｈｙｌａｍｉｎｏ）ｅｔｈｙｌ］−１,２−ｂｅｎｚｅｎｅｄｉｏｌ、Ｃ9Ｈ13ＮＯ3）
【化４】
0006051259.tif 000005
（５）リボフラビン（Ｒｉｂｏｆｌａｖｉｎ、Ｌａｃｔｏｆｌａｖｉｎ；７，８−Ｄｉｍｅｔｈｙｌ−１０−ｒｉｂｉｔｙｌｉｓｏａｌｌｏｘａｚｉｎｅ、Ｖｉｔａｍｉｎ、Ｃ17Ｈ20Ｎ4Ｏ6）
【化５】
0006051259.tif 000006
（６）ルピニン（Ｌｕｐｉｎｉｎｅ、Ｃ10Ｈ19ＮＯ）
【化６】
0006051259.tif 000007
（７）グアニジノスクシン酸（Ｇｕａｎｉｄｉｎｏｓｕｃｃｉｎｉｃ  ａｃｉｄ、Ｎ−Ａｍｉｄｉｎｏ−Ｌ−ａｓｐａｒｔａｔｅ、Ｎ−Ａｍｉｄｉｎｏ−Ｌ−ａｓｐａｒｔｉｃ  ａｃｉｄ、Ｃ5Ｈ9Ｎ3Ｏ4）
【化７】
0006051259.tif 000008
（８）ウリジン（Ｕｒｉｄｉｎｅ、Ｃ9Ｈ12Ｎ2Ｏ6）
【化８】
0006051259.tif 000009
【００１９】
本発明の判定方法においては、上記成分から選ばれる１種以上の量または有無を測定するが、２種以上であることが好ましく、２〜５種であることがより好ましい。
【００２０】
本発明の判定方法において、各成分の測定は、例えば、質量分析法によって測定できる。質量分析法による測定の際には各種の質量分析装置を利用することができる。質量分析装置としては、例えば、ＧＣ−ＭＳ、ＬＣ−ＭＳ、ＦＡＢ−ＭＳ、ＥＩ−ＭＳ、ＣＩ−ＭＳ、ＦＤ−ＭＳ、ＭＡＬＤＩ−ＭＳ、ＥＳＩ−ＭＳ、ＨＰＬＣ−ＭＳ、ＦＴ−ＩＣＲ−ＭＳ、ＣＥ−ＭＳ、ＩＣＰ−ＭＳ、Ｐｙ−ＭＳ、ＴＯＦ−ＭＳなどが挙げられ、これらのいずれも利用可能である。
【００２１】
また、各成分の測定は、各成分に特異的に結合する物質（例えば、抗体、アプタマー、受容体、酵素、ペプチドなど）を利用して、ＲＩＡ（ラジオイムノアッセイ）、ＥＬＩＳＡ（酵素結合免疫吸着法）、ＥＣＬＩＡ（電気化学発光免疫測定法）などにより測定することもできる。各成分に特異的に結合する物質を必要に応じて担体に固相化してマイクロアレイとし、マイクロアレイを用いて各成分を測定することもできる。
【００２２】
唾液中の成分の測定値からメタボリックシンドロームに罹患しているか否かを判定するに当たっては、通常は、参照値との比較を行う。参照値としては、例えば、健常者（本発明の判定方法以外の手段で健常者であることが予め確認されていることが好ましい）から採取された唾液中の成分の測定値、メタボリックシンドローム患者（本発明の判定方法以外の手段でメタボリックシンドローム患者であることが予め確認されていることが好ましい）から採取された唾液中の成分の測定値が挙げられるが、このうち、前者が好ましい。
【００２３】
参照値が健常者の値である場合を例に取ると、以下の通りである。（ｉ）からなる群から選択される１種以上の成分の量を測定する場合には、被験者から採取された唾液中の当該量が、健常者から採取された唾液中の当該量と比べて高い場合にメタボリックシンドロームに罹患していると判定される。（ｉｉ）からなる群から選択される１種以上の成分の量を測定する場合には、被験者から採取された唾液中の当該量が、健常者から採取された唾液中の当該量と比べて低い場合にメタボリックシンドロームに罹患していると判定される。
【００２４】
参照値がメタボリックシンドローム患者の値である場合を例に取ると以下の通りである。（ｉ）からなる群から選択される１種以上の成分の量を測定する場合には、被験者から採取された唾液中の当該量が、メタボリックシンドローム患者から採取された唾液中の当該量と比べて同一または高い場合にメタボリックシンドロームに罹患していると判定される。（ｉｉ）からなる群から選択される１種以上の成分の量を測定する場合には、被験者から採取された唾液中の当該量が、メタボリックシンドローム患者から採取された唾液中の当該量と比べて同一または低い場合にメタボリックシンドロームに罹患していると判定される。
【００２５】
判定においては、各成分の量を変数とする多変量解析を行ってもよい。多変量解析としては例えば、ロジスティック回帰分析、重回帰分析、主成分分析、独立成分分析、因子分析、判別分析、数量化理論、クラスター分析、コンジョイント分析および多次元尺度構成法（ＭＤＳ）が挙げられるが、中でもロジスティック回帰分析が好ましい。
【００２６】
多変量解析においては、（ｉ）および（ｉｉ）からなる群から選択される１種以上の成分を変数とすることが好ましく、２種以上の成分を変数とすることがより好ましく、２〜５種の成分の組み合わせを変数とすることが好ましい。具体的には、ウラシルおよび／またはグアニジノスクシン酸を含む組み合わせを変数とすることが好ましく、更に、更に、下記の（ａ）、（ｂ）、（ｃ）または（ｄ）の組み合わせを変数とすることがより好ましい。
（ａ）ウラシルおよびエピネフリン
（ｂ）グアニジノスクシン酸およびウラシル
（ｃ）グアニジノスクシン酸、ウラシルおよびエピネフリン
（ｄ）グアニジノスクシン酸、ウラシル、エピネフリン、エクトインおよびウリジン
【００２７】
本発明の判定方法は、被験者がメタボリックシンドロームに罹患しているか否かを、唾液から簡便に判定できるので、医師の診断前の予備的な検査として、家庭でも実施可能である。さらに、メタボリックシンドローム患者である被験者に治療を行い、治療が効果を奏した場合、唾液中の各成分の量も低下ないしは増加する。よって、治療と共に唾液中の成分を測定することにより、治療効果の評価判定を行うこともできる。従って、本発明の判定方法は、メタボリックシンドロームの薬剤の投与効果などの治療効果を判定する方法としても有用である。
【実施例】
【００２８】
実施例１  唾液中の各成分の発現量比較
＜評価方法＞
（１）唾液検体採取
被験者より、刺激唾液（パラフィンガムを噛むことにより唾液分泌促進を行った結果分泌された唾液）を採取した。被験者は、その特徴により以下の各群に分類した。
健常者群：男性、腹囲８５ｃｍ未満、ＢＭＩ２５未満、下記の項目ａ）〜ｄ）のいずれにも該当しない（ｎ＝１０）
メタボリックシンドローム群：男性、腹囲８５ｃｍ以上、またはＢＭＩ２５以上であり、血液検査において、下記の項目ａ）〜ｄ）のいずれか一つ以上に該当する（ｎ＝１０）
【００２９】
項目
ａ）中性脂肪：１５０ｍｇ／ｄＬ以上、またはＨＤＬ−コレステロール：４０ｍｇ／ｄＬ以下
ｂ）ＬＤＬ−コレステロール：１４０ｍｇ／ｄＬ以上
ｃ）空腹時血糖：１１０ｍｇ／ｄＬ以上、またはヘモグロビンＡ１ｃ：５．８％以上
ｄ）尿酸：７．０ｍｇ／ｄＬ以上
【００３０】
（２）メタボローム解析による唾液中成分の網羅的解析
採取した唾液を遠心分離にかけて夾雑物を除き、上清をＬＣ−ＭＳ（Ｐｏｓｉｔｉｖｅ／Ｎｅｇａｔｉｖｅ）、ＣＥ−ＭＳ（Ｐｏｓｉｔｉｖｅ／Ｎｅｇａｔｉｖｅ）に供した。得られたＲｔ値、Ｍｓ値から唾液中成分を同定した。
【００３１】
＜評価結果＞
質量分析法による唾液メタボローム解析から、各唾液成分の分子量とピーク強度が得られた。このピーク強度を、唾液中に含まれる各唾液成分の量とした。
【００３２】
その結果、エクトイン、ホモバニリン酸、ウラシル、およびエピネフリンのピークが、メタボリックシンドローム群において顕著に増加することが認められた（図１−１〜１−４、表１）。一方、リボフラビン、ルピニン、グアニジノスクシン酸、およびウリジンのピークが、メタボリックシンドローム群において、顕著に減少することが認められた（図２−１〜２−４、表２）。
【００３３】
これらの結果は、被験者の図１−１〜図１−４および表１に示される唾液成分の量が、健常者群の唾液成分の量を上回る場合に、メタボリックシンドロームに罹患していると判定され得ることを示している。すなわち、エクトインを指標とする場合は健常者群のピーク強度である４４．５０を上回った場合に、ウラシルを指標とする場合は健常者群のピーク強度である１１．６０を上回った場合に、ホモバニリン酸を指標とする場合は健常者のピーク強度である６．４０を上回った場合に、エピネフリンを指標とする場合は健常者のピーク強度である９８７．４０を上回った場合に、その被験者はメタボリックシンドロームに罹患していると判定されうることを示している。
【００３４】
一方、被験者の図２−１〜図２−４および表２に示される唾液成分の量が、健常者群の唾液成分の量を下回る場合に、メタボリックシンドロームに罹患していると判定され得ることを示している。すなわち、リボフラビンを指標とする場合は健常者群のピーク強度である７２．２０を下回った場合に、グアニジノスクシン酸を指標とする場合は健常者のピーク強度である６２７８．５０を下回った場合に、ウリジンを指標とする場合は健常者群のピーク強度である１２４２．２０を下回った場合に、ルピニンを指標とする場合は健常者のピーク強度である１３．００を下回った場合に、その被験者はメタボリックシンドロームに罹患していると判定され得ることを示している。
【００３５】
【表１】
0006051259.tif 000010
【００３６】
【表２】
0006051259.tif 000011
【００３７】
実施例２  唾液中のエクトイン量測定によるメタボリックシンドローム判定
実施例１と同様の基準にてメタボリックシンドロームに該当する被験者１０名より、実施例１と同様の手法にて唾液を採取し、エクトインのピーク強度を測定した。その結果、１０名中７名の唾液で、エクトインのピーク強度が４４．５０を上回り、メタボリックシンドロームリスク診断の感度は７０％と算出された。この結果は、本発明の判定方法においてエクトインの量を測定することにより、メタボリックシンドロームを予備的に判定できることを示している。
【００３８】
実施例３  唾液中のホモバニリン酸量測定によるメタボリックシンドローム判定
実施例１と同様の基準にてメタボリックシンドロームに該当する被験者１０名より、実施例１と同様の手法にて唾液を採取し、ホモバニリン酸のピーク強度を測定した。その結果、１０名中７名の唾液で、ホモバニリン酸のピーク強度が６．４０を上回り、メタボリックシンドロームリスク診断の感度は７０％と算出された。この結果は、本発明の判定方法においてホモバニリン酸の量を測定することにより、メタボリックシンドロームを予備的に判定できることを示している。
【００３９】
実施例４  唾液中のウラシル量測定によるメタボリックシンドローム判定
実施例１と同様の基準にてメタボリックシンドロームに該当する被験者１０名より、実施例１と同様の手法にて唾液を採取し、ウラシルのピーク強度を測定した。その結果、１０名中８名の唾液で、ウラシルのピーク強度が１１．６０を上回り、メタボリックシンドローム判定の感度は８０％と算出された。この結果は、本発明の判定方法においてウラシルの量を測定することにより、メタボリックシンドロームを予備的に判定できることを示している。
【００４０】
実施例５  唾液中のエピネフリン量測定によるメタボリックシンドローム判定
実施例１と同様の基準にてメタボリックシンドロームに該当する被験者１０名より、実施例１と同様の手法にて唾液を採取し、エピネフリンのピーク強度を測定した。その結果、１０名中６名の唾液で、エピネフリンのピーク強度が９８７．４０を上回り、メタボリックシンドロームリスク診断の感度は６０％と算出された。この結果は、本発明の判定方法においてエピネフリンの量を測定することにより、メタボリックシンドロームを予備的に判定できることを示している。
【００４１】
実施例６  唾液中のリボフラビン量測定によるメタボリックシンドローム判定
実施例１と同様の基準にてメタボリックシンドロームに該当する被験者１０名より、実施例１と同様の手法にて唾液を採取し、リボフラビンのピーク強度を測定した。その結果、１０名中９名の唾液で、リボフラビンのピーク強度が７２．２０を下回り、メタボリックシンドロームリスク診断の感度は９０％と算出された。この結果は、本発明の判定方法においてリボフラビンの量を測定することにより、メタボリックシンドロームを予備的に判定できることを示している。
【００４２】
実施例７  唾液中のルピニン量測定によるメタボリックシンドローム判定
実施例１と同様の基準にてメタボリックシンドロームに該当する被験者１０名より、実施例１と同様の手法にて唾液を採取し、ルピニンのピーク強度を測定した。その結果、１０名中８名の唾液で、ルピニンのピーク強度が１３．００を下回り、メタボリックシンドロームリスク診断の感度は８０％と算出された。この結果は、本発明の判定方法においてルピニンの量を測定することにより、メタボリックシンドロームを予備的に判定できることを示している。
【００４３】
実施例８  唾液中のグアニジノスクシン酸量測定によるメタボリックシンドローム判定
実施例１と同様の基準にてメタボリックシンドロームに該当する被験者１０名より、実施例１と同様の手法にて唾液を採取し、グアニジノスクシン酸のピーク強度を測定した。その結果、１０名中１０名の唾液で、グアニジノスクシン酸のピーク強度が６２７８．５０を下回り、メタボリックシンドロームリスク診断の感度は１００％と算出された。この結果は、本発明の判定方法においてグアニジノスクシン酸の量を測定することにより、メタボリックシンドロームを予備的に判定できることを示している。
【００４４】
実施例９  唾液中のウリジン量測定によるメタボリックシンドローム判定
実施例１と同様の基準にてメタボリックシンドロームに該当する被験者１０名より、実施例１と同様の手法にて唾液を採取し、ウリジンのピーク強度を測定した。その結果、１０名中９名の唾液で、ウリジンのピーク強度が１２４２．２０を下回り、メタボリックシンドロームリスク診断の感度は９０％と算出された。この結果は、本発明の判定方法においてウリジンの量を測定することにより、メタボリックシンドロームを予備的に判定できることを示している。
【００４５】
実施例１０  唾液成分の多変量解析（ロジスティック回帰分析）による診断精度の向上
実施例１〜９で挙げた唾液成分について、メタボリックシンドロームをより精度良く判定することを目的に、多変量解析手法のひとつであるロジスティック回帰分析を行った。ロジスティック回帰分析は、複数の目的変数（本願では、唾液成分）を用いて、質的変数（本願では、メタボリックシンドロームか否か）を予測する場合に、一般的に用いられる解析手法である。
【００４６】
その結果、表３に示される唾液成分の組み合わせを用いることで、診断精度が向上することが示唆された（正診率７３．３％以上）。
これら唾液成分の組み合わせを用いる場合と、実施例１で挙げた単一唾液成分による場合の診断能を比較するべく、ＲＯＣ曲線の曲線下面積を算出した（表４）。ＲＯＣ曲線とは、診断方法の感度と特異度から算出される曲線であり、この曲線下面積が大きいほど、診断能が高いと判断される（森實敏夫著、「わかりやすい医学統計学」、株式会社メディカルトリビューン、ｐ２５４）。その結果、単一唾液成分による場合と比較して、唾液成分の組み合わせによる場合で診断能が著しく高まることが示唆された。
【００４７】
【表３】
0006051259.tif 000012
【００４８】
【表４】
0006051259.tif 000013
【図１−１】
0006051259.tif 000014
【図１−２】
0006051259.tif 000015
【図１−３】
0006051259.tif 000016
【図１−４】
0006051259.tif 000017
【図２−１】
0006051259.tif 000018
【図２−２】
0006051259.tif 000019
【図２−３】
0006051259.tif 000020
【図２−４】
0006051259.tif 000021